(57)【特許請求の範囲】
【請求項１】
広域ネットワークに接続される無線基地局と無線通信する第１通信部と、前記第１通信部とは異なる通信方式で通信する第２通信部と、ディスプレイとを備える情報端末で用いられる情報処理方法であって、
前記第２通信部により、施設に設置された、蓄電池を含む電力管理システムから当該蓄電池に関する情報を含む第１管理情報を受信する管理情報受信ステップと、
前記管理情報受信ステップで前記第１管理情報を受信した際に、当該第１管理情報に基づく表示要素を前記ディスプレイに表示する表示ステップと、
前記管理情報受信ステップで受信された前記第１管理情報に基づいて形成した第２管理情報を、前記第１通信部により、前記広域ネットワークに接続される、前記施設の外部の一装置を宛先として、送信する管理情報送信ステップと、
前記第２管理情報に基づいて前記一装置から送信された、異常発生の内容、または、異常への対処方法を示すメッセージを受信し、前記ディスプレイが前記メッセージを提示する提示ステップとを含む
情報処理方法。
【請求項２】
前記管理情報受信ステップでは、前記第１通信部よりも通信可能範囲が狭い、近距離無線通信方式で通信する前記第２通信部により、前記第１管理情報の前記受信を行う
請求項１記載の情報処理方法。
【請求項３】
前記電力管理システムは、操作を受け付ける機能と前記蓄電池に関する情報を表示する機能と通信機能とを有する操作端末を含み、
前記管理情報受信ステップでは、前記操作端末と前記情報端末との間での相互認証に成功した場合に、前記操作端末から前記第１管理情報の前記受信を行う
請求項１又は２記載の情報処理方法。
【請求項４】
前記情報端末は入力装置を備え、
前記管理情報受信ステップでは、前記入力装置により所定操作が受け付けられた際に前
記電力管理システムに、前記第２通信部により要求情報を送信し、当該要求情報を受信した当該電力管理システムから送信される前記第１管理情報の前記受信を行い、
前記表示ステップでは、前記管理情報受信ステップで前記第１管理情報を受信した際に、当該第１管理情報に基づく表示要素に係る前記表示を行う
請求項１〜３のいずれか一項に記載の情報処理方法。
【請求項５】
前記管理情報送信ステップでは、前記管理情報受信ステップで前記第１管理情報を受信した際に、当該第１管理情報に基づいて形成した前記第２管理情報の前記送信を行う
請求項１〜４のいずれか一項に記載の情報処理方法。
【請求項６】
前記管理情報受信ステップでは、前記受信を互いに異なる複数の時それぞれにおいて実行し、
前記管理情報送信ステップでは、前記管理情報受信ステップで前記複数の時それぞれにおいて受信した前記第１管理情報に基づいて１つの前記第２管理情報を形成して、当該第２管理情報を、前記一装置を宛先として送信する
請求項１〜４のいずれか一項に記載の情報処理方法。
【請求項７】
前記情報処理方法は更に、
前記管理情報受信ステップで前記第１管理情報が受信された際に、当該第１管理情報が前記電力管理システムでの異常発生を示すか否かを判別する判別ステップを含み、
前記管理情報送信ステップでは、前記判別ステップで前記第１管理情報が前記異常発生を示すと判別した際に、当該第１管理情報に基づいて形成した前記第２管理情報の前記送信を行う
請求項６記載の情報処理方法。
【請求項８】
前記情報処理方法は更に、
前記第１通信部により、前記広域ネットワークに接続された装置から送信された前記電力管理システムの制御に用いられる制御情報を受信する制御情報受信ステップと、
前記制御情報受信ステップで受信された前記制御情報を、前記第２通信部により、前記電力管理システムに送信する制御情報送信ステップとを含む
請求項１〜７のいずれか一項に記載の情報処理方法。
【請求項９】
前記制御情報受信ステップでは、前記制御情報を前記広域ネットワークに接続された前記一装置から受信し、
前記制御情報送信ステップでは、前記管理情報受信ステップで前記第１管理情報を受信した際に、前記制御情報の前記送信を行う
請求項８記載の情報処理方法。
【請求項１０】
前記電力管理システムは、発電装置と、当該発電装置に接続されたパワーコンディショナーとを含み、
前記電力管理システムでは、出力抑制指令を受信した場合に当該出力抑制指令で指定された時期において前記パワーコンディショナーが前記発電装置で生成された電力の電力系統への出力を遮断し、
前記制御情報受信ステップで受信する前記制御情報は、出力抑制指令を含む
請求項８又は９記載の情報処理方法。
【請求項１１】
前記情報処理方法は更に、
前記管理情報受信ステップで前記第１管理情報が受信された際における前記情報端末の位置を測定する位置測定ステップを含み、
前記管理情報送信ステップでは、前記位置測定ステップにより測定した位置を示す位置情報を前記第２管理情報に付して、前記第２管理情報の前記送信を行う
請求項１〜１０のいずれか一項に記載の情報処理方法。
【請求項１２】
広域ネットワークに接続される無線基地局と無線通信する第１通信部と、
前記第１通信部とは異なる通信方式で通信する第２通信部と、
ディスプレイと、
施設に設置された、蓄電池を含む電力管理システムから当該蓄電池に関する情報を含む第１管理情報を、前記第２通信部を制御して受信させ、前記第１管理情報を受信した際に、当該第１管理情報に基づく表示要素を前記ディスプレイに表示し、受信された前記第１管理情報に基づいて形成した第２管理情報を、前記第１通信部を制御して、前記広域ネットワークに接続される、前記施設の外部の一装置を宛先として送信させ、前記第２管理情報に基づいて前記一装置から送信された、異常発生の内容、または異常への対処方法を示すメッセージを受信し、前記ディスプレイに前記メッセージを提示させる制御部とを備える
情報端末。
【請求項１３】
広域ネットワークに接続される無線基地局と無線通信する第１通信部と、前記第１通信部とは異なる通信方式で通信する第２通信部と、ディスプレイと、マイクロプロセッサとを備える情報端末に、所定情報処理を実行させるための制御プログラムであって、
前記所定情報処理は、
前記第２通信部を制御することで、施設に設置された、蓄電池を含む電力管理システムから当該蓄電池に関する情報を含む第１管理情報を、受信させる管理情報受信ステップと、
前記管理情報受信ステップで前記第１管理情報を受信した際に、当該第１管理情報に基づく表示要素を前記ディスプレイに表示する表示ステップと、
前記第１通信部を制御することで、前記管理情報受信ステップで受信された前記第１管理情報に基づいて形成した第２管理情報を、前記広域ネットワークに接続される、前記施設の外部の一装置を宛先として、送信させる管理情報送信ステップと、
前記第２管理情報に基づいて前記一装置から送信された、異常発生の内容、または異常への対処方法を示すメッセージを受信し、前記ディスプレイが前記メッセージを提示する提示ステップとを含む
制御プログラム。
【発明の詳細な説明】
【技術分野】
【０００１】
本発明は、蓄電池に係る電力制御及び管理を行う電力管理システムと連携して管理情報を処理する情報端末、その情報端末で用いられる情報処理方法及び制御プログラムに関する。
【背景技術】
【０００２】
従来、例えば住宅、オフィスビル等といった電力の需要家の施設で利用される蓄電装置（蓄電池を含む装置）に関して、タブレット端末による操作等に応じて、蓄電池の充電及び放電を制御するシステムが知られている（特許文献１参照）。
【先行技術文献】
【特許文献】
【０００３】
【特許文献１】特開２０１４−７９０５８号公報
【発明の概要】
【発明が解決しようとする課題】
【０００４】
ところで、需要家の施設に設置された蓄電装置或いはその制御及び管理を行う電力管理システムに異常が発生した場合において、蓄電装置等に関する十分な専門知識等を有さない者（例えば一般的な需要家等）にとっては適切な対処が容易ではない。需要家毎の電力管理システムの異常発生に効率的に対処するために、専門知識を有するメンテナンス事業者等が運用する外部サーバによる、需要家の施設に敷設された有線式加入電話（固定回線）を介した、その施設の電力管理システムの遠隔監視が有用である。しかし、近年、固定回線を敷設しない住宅、住戸等が増加しつつある。
【０００５】
そこで、本発明は、固定回線を有さない施設において、電力管理システムの運用（異常の発生への対処等）を適切に行える可能性を高めるために電力管理システムと連携する情報端末を提供することを目的とする。また、本発明は、その情報端末で用いられる情報処理方法及び制御プログラムを提供することを目的とする。
【課題を解決するための手段】
【０００６】
上記目的を達成するために本発明の一態様に係る情報処理方法は、広域ネットワークに接続される無線基地局と無線通信する第１通信部と、前記第１通信部とは異なる通信方式で通信する第２通信部とを備える情報端末で用いられる情報処理方法であって、前記第２通信部により、施設に設置された、蓄電池を含む電力管理システムから当該蓄電池に関する情報を含む第１管理情報を受信する管理情報受信ステップと、前記管理情報受信ステップで受信された前記第１管理情報に基づいて形成した第２管理情報を、前記第１通信部により、前記広域ネットワークに接続される、前記施設の外部の一装置を宛先として、送信する管理情報送信ステップとを含む。
【０００７】
また、本発明の一態様に係る情報端末は、広域ネットワークに接続される無線基地局と無線通信する第１通信部と、前記第１通信部とは異なる通信方式で通信する第２通信部と、施設に設置された、蓄電池を含む電力管理システムから当該蓄電池に関する情報を含む第１管理情報を、前記第２通信部を制御して受信させ、受信された前記第１管理情報に基づいて形成した第２管理情報を、前記第１通信部を制御して、前記広域ネットワークに接続される、前記施設の外部の一装置を宛先として送信させる制御部とを備える。
【０００８】
また、本発明の一態様に係る制御プログラムは、広域ネットワークに接続される無線基地局と無線通信する第１通信部と、前記第１通信部とは異なる通信方式で通信する第２通信部と、マイクロプロセッサとを備える情報端末に、所定情報処理を実行させるための制御プログラムであって、前記所定情報処理は、前記第２通信部を制御することで、施設に設置された、蓄電池を含む電力管理システムから当該蓄電池に関する情報を含む第１管理情報を、受信させる管理情報受信ステップと、前記第１通信部を制御することで、前記管理情報受信ステップで受信された前記第１管理情報に基づいて形成した第２管理情報を、前記広域ネットワークに接続される、前記施設の外部の一装置を宛先として、送信させる管理情報送信ステップとを含む。
【発明の効果】
【０００９】
本発明によれば、サーバによる電力管理システムの遠隔監視が可能となり、サーバを運用するメンテナンス事業者等の専門知識等を活用すれば電力管理システムの適切な運用（異常の発生への適切な対処等）が可能となる。
【図面の簡単な説明】
【００１０】
【図１】実施の形態１に係る情報端末及び電力管理システムの構成等を示す概略構成図である。
【図２】電力管理システムで用いる管理情報の一例を示す図である。
【図３】実施の形態１に係る情報端末の機能ブロック図である。
【図４】実施の形態１に係る情報端末における蓄電池情報表示処理の一例を示すフローチャートである。
【図５】実施の形態１に係る情報端末の画面例を示す図である。
【図６】実施の形態１に係る情報端末、電力管理システム及びサーバの連携動作を示すシーケンス図である。
【図７】実施の形態２に係る情報端末の機能ブロック図である。
【図８】実施の形態２に係る情報端末における蓄電池情報表示処理の一例を示すフローチャートである。
【図９】実施の形態２に係る情報端末の画面例を示す図である。
【図１０】実施の形態２に係る情報端末における定期送信処理の一例を示すフローチャートである。
【図１１】実施の形態２に係る情報端末、電力管理システム及びサーバの連携動作を示すシーケンス図である。
【図１２】実施の形態３に係る情報端末の機能ブロック図である。
【図１３】実施の形態３に係る情報端末がサーバから受信する制御情報の一例を示す図である。
【図１４】実施の形態３に係る情報端末における定期送信処理の一例を示すフローチャートである。
【図１５】実施の形態３に係る電力管理システムにおける制御処理の一例を示すフローチャートである。
【図１６】実施の形態３に係る情報端末、電力管理システム及びサーバの連携動作を示すシーケンス図である。
【発明を実施するための形態】
【００１１】
以下、実施の形態について、図面を参照して説明する。ここで示す実施の形態は、いずれも本発明の一具体例を示すものである。従って、以下の実施の形態で示される数値、形状、構成要素、構成要素の配置及び接続形態、並びに、ステップ（工程）及びステップの順序等は、一例であって本発明を限定するものではない。以下の実施の形態における構成要素のうち、独立請求項に記載されていない構成要素については、任意に付加可能な構成要素である。また、各図は、模式図であり、必ずしも厳密に図示されたものではない。
【００１２】
（実施の形態１）
以下、本発明の一実施形態に係る情報端末４００について説明する。
【００１３】
（構成）
図１は、実施の形態１に係る情報端末４００及び電力管理システム１０並びにこれらと関連する装置類を示す。
【００１４】
電力管理システム１０は、住宅、オフィスビル等といった電力の需要家の施設２０に設置され、蓄電池１０９に電力を蓄積して必要時に放出するための蓄電装置１００等の管理及び制御を行うシステムである。電力管理システム１０は、図１に示すように、施設２０に設置された蓄電装置１００と、パワーコンディショナー２００と、操作端末３００と、分電盤４０と、発電装置７０とを含んで構成される。
【００１５】
分電盤４０は、施設２０に設置され、電力事業者等の設備である電力系統から受けた電力（系統電力）を負荷５０等に分配する。負荷５０は、施設２０内の電気機器等を表したものであり、個々の電気機器等は分電盤４０における複数の分岐回路のいずれかに接続されている。
【００１６】
発電装置７０は、例えば太陽光発電のための太陽電池モジュール等であり、電力の生成を行う。発電装置７０が生成する電力は、パワーコンディショナー２００を介して分電盤４０或いは蓄電装置１００へと伝送される。
【００１７】
蓄電装置１００は、例えば、リチウムイオン二次電池、鉛蓄電池等の蓄電池１０９を含み、更に、蓄電池１０９の制御を行う制御回路等を含む。蓄電装置１００は、例えば蓄電及び放電により電力を効率的に利用する或いは停電時に備える等のために用いられる。蓄電池１０９は、１つ又は複数の二次電池の単位で構成され、その単位は、例えば、電池セル、電池セルの集合体である電池モジュール、電池モジュールの集合体である電池パック（電池ユニット）等のいずれであってもよい。蓄電装置１００には温度センサが含まれ、制御回路は、温度センサで測定した温度、電池残量（充電量）等の蓄電池に関する情報をパワーコンディショナー２００に伝達し得る。
【００１８】
パワーコンディショナー２００は、発電装置７０、蓄電装置１００及び分電盤４０と接続され、直流電力と交流電力との変換等を行う電力変換装置である。パワーコンディショナー２００は、コンピュータを含み、発電装置７０、蓄電装置１００等の管理及び制御を行う機能を有する。このコンピュータは、メモリ、プロセッサ（マイクロプロセッサ）、通信インタフェース（Ｉ／Ｆ）等を有する。メモリは、プログラム及びデータを予め保持しているＲＯＭ、プログラムの実行に際してデータ等の記憶に利用するためのＲＡＭ等であり、例えば不揮発性メモリを含んでいてもよい。プロセッサは、メモリに格納されたプログラムを実行することにより例えば通信Ｉ／Ｆ等を制御して各種処理を行う。通信Ｉ／Ｆは、例えば発電装置７０、蓄電装置１００或いは操作端末３００と通信するための通信回路である。パワーコンディショナー２００は、例えば予め定められたアルゴリズムに従って、発電装置７０で生成された電力が分電盤４０を介して電力系統へと出力させるように或いはその出力を遮断（抑止）するように制御し得る。また、パワーコンディショナー２００は、予め定められたアルゴリズムに従って、蓄電装置１００（蓄電池１０９）に対して充電（つまり電流の入力）及び蓄電装置１００からの放電（つまり電流の出力）についての制御を行う。この制御によりパワーコンディショナー２００は、例えば、分電盤４０から分配された系統電力或いは発電装置７０で生成された電力を受けて蓄電装置１００に充電し、蓄電装置１００から放電された電力を、分電盤４０を介して負荷５０に供給する。パワーコンディショナー２００は、操作端末３００から指示情報を受信した場合にその指示情報に応じて、蓄電装置１００の充電及び放電に係る制御内容を決定して、充放電に係る制御を行う。例えば、パワーコンディショナー２００は、指示情報に応じて、蓄電装置１００の充放電モードを、充電又は放電に選択的に決定する。パワーコンディショナー２００のコンピュータは、例えば蓄電装置１００から受信した蓄電池に関する情報等に基づいて、蓄電装置１００及び発電装置７０の制御状態等を管理し、メモリ等の記憶媒体に管理情報を記録し逐次更新している。図２に管理情報の一例を示す。管理情報は、蓄電装置１００の蓄電池の識別情報（ＩＤ）、状態、充放電モード、電池残量、温度、充電電流、使用履歴等を示す蓄電池情報、発電装置７０の識別情報（ＩＤ）、状態等を示す発電装置情報等を含んでいる。パワーコンディショナー２００のコンピュータは、管理情報に基づいて各装置の制御を行い、必要に応じて管理情報を操作端末３００に送信する。
【００１９】
操作端末３００は、ユーザ（例えば電力の需要家等）の操作を受け付けて操作に応じた指示情報をパワーコンディショナー２００へ送信する機能を有する端末（例えばリモートコントローラ等）である。操作端末３００は、入力装置及びディスプレイ等のユーザＩ／Ｆを備える。操作端末３００は、施設２０内においてパワーコンディショナー２００と有線或いは無線ＬＡＮ（Local Area Network）等で接続されている。指示情報は、例えば、放電状態にする指示或いは蓄電状態にする指示等といった、パワーコンディショナー２００に蓄電装置１００に対する電流の入出力（充放電）を指示するための情報である。指示情報は、例えば、蓄電装置１００について予め定められた充放電制御用の各種アルゴリズム（充放電モード等）を選択的に指示する情報であってもよい。操作端末は、随時パワーコンディショナー２００から管理情報を取得して、例えば管理情報の一部（蓄電池１０９に関する情報等）をディスプレイに表示し得る。
【００２０】
情報端末４００は、可搬性を有し、通信事業者（携帯電話事業者）等に管理された無線基地局３２との間で無線通信を行うコンピュータ端末であり、例えばスマートフォンである。無線基地局３２は、電話通信回線網、インターネット等の広域ネットワーク（ＷＡＮ：Wide Area Network）３１と接続されており、情報端末４００は、無線基地局３２等を介してサーバ３０と通信可能である。なお、サーバ３０は広域ネットワーク３１と接続されたコンピュータであり、例えば電力管理システム１０の保守サービス等を行うメンテナンス事業者、電力事業者、蓄電装置等の製造メーカ、その他の事業者等により運用される。情報端末４００はユーザに携帯される。情報端末４００は、図１に示すように、第１通信部４０１、第２通信部４０２、制御部４０３、入力装置４０４及びディスプレイ４０５を備える。
【００２１】
第１通信部４０１は、予め定められた通信方式により無線基地局３２と無線通信する通信Ｉ／Ｆである。第１通信部４０１の通信方式は、通信事業者毎に予め定められた周波数帯を用いて３Ｇ、４Ｇ（ＬＴＥ（Long Term Evolution）等）といった予め定められた通信規格に基づいて通信する方式である。
【００２２】
第２通信部４０２は、第１通信部４０１とは異なる予め定められた通信方式により電力管理システム１０と近距離無線通信（ＮＦＣ：Near Field Communication）を行う通信Ｉ／Ｆである。第２通信部４０２の通信方式は、例えばＢｌｕｅｔｏｏｔｈ（登録商標）等の近距離無線通信規格に基づいて通信する方式（近距離無線通信方式）である。
【００２３】
制御部４０３は、メモリ及びプロセッサであり、プロセッサがメモリに格納されたプログラムを実行することにより情報端末４００の各部を制御して各種処理を行う。制御部４０３による処理には、例えば、蓄電池情報表示処理がある。蓄電池情報表示処理においては、制御部４０３は、第２通信部４０２を制御して、電力管理システム１０から管理情報（図２参照）を受信させる。そして制御部４０３は、その受信された管理情報（第１管理情報とも称する）に基づいて形成した第２管理情報を、第１通信部４０１を制御して、サーバ３０を宛先（Destination）として送信させる。蓄電池情報表示処理については後に詳しく説明する。
【００２４】
入力装置４０４及びディスプレイ４０５は、情報端末４００のユーザＩ／Ｆを構成する。このユーザＩ／Ｆは、例えば、ディスプレイ４０５の表面にタッチパッド（入力装置）４０４を配置してなるタッチパネルで構成される。
【００２５】
情報端末４００は、蓄電池情報表示処理等を含む所定情報処理を行うためのアプリケーションプログラム（アプリと称する）を実行する。なお、情報端末４００は、広域ネットワーク３１に接続されたウェブサーバ（例えばサーバ３０）等から、このアプリをダウンロードすることで、このアプリをメモリに格納してもよい。情報端末４００は、制御部４０３のプロセッサによりこのアプリを実行することで、図３に示す機能構成要素である位置測定部４１０、管理情報受信部４２０、表示部４３０、管理情報送信部４４０及び提示部４５０の各機能を発揮する。以下、情報端末４００の各機能構成要素について説明する。
【００２６】
位置測定部４１０は、情報端末４００の位置を測定してその位置を示す位置情報を管理情報送信部４４０に伝達する機能を有する。例えば、情報端末４００がＧＰＳ（Global Positioning System）受信機を備える場合に、位置測定部４１０は、ＧＰＳ信号を繰り返し受信して情報端末４００の所在位置の緯度、経度等を示す位置情報を取得し、最後に取得した位置情報を保持する。また、位置測定部４１０は、第１通信部４０１により無線基地局３２を含む１つ以上の無線基地局との無線通信を行うことで、例えば受信信号や無線基地局の位置等に基づいて、情報端末４００の位置を示す位置情報を取得してもよい。
【００２７】
管理情報受信部４２０は、第２通信部４０２により、電力管理システム１０から第１管理情報（図２参照）を受信する機能を有する。管理情報受信部４２０は、電力管理システム１０を構成するいずれかの装置から第１管理情報を受信するものであればよい。ここでは、管理情報受信部４２０は、第２通信部４０２に操作端末３００との間で近距離無線通信を行わせて、操作端末３００から第１管理情報を受信するものとする。この第１管理情報の受信は、例えばユーザの操作等を受けて、情報端末４００と操作端末３００との間で、Ｂｌｕｅｔｏｏｔｈ（登録商標）でペアリング（相互認証）がなされることを前提とする。
【００２８】
表示部４３０は、管理情報受信部４２０により受信された第１管理情報に基づいて、その第１管理情報の全部又は一部を表す表示要素（例えば蓄電池の状態等を示す文字列、画像等）をディスプレイ４０５に表示する機能を有する。この機能により、ユーザは、携帯する情報端末４００を見ることで、電力管理システム１０における管理情報（蓄電池の状態等の情報）について確認できるようになる。なお、比較的高い処理性能のプロセッサを有し、比較的解像度が高く多色で表示要素を表示可能なディスプレイを備えるスマートフォンが普及している。このようなスマートフォンを情報端末４００として用いる場合には、表示部４３０は、管理情報に基づいてユーザに理解し易い様々な態様の表示要素を迅速に形成して表示し得るものとなる。
【００２９】
管理情報送信部４４０は、管理情報受信部４２０により受信された第１管理情報に基づいて形成した第２管理情報を、第１通信部４０１により、無線基地局３２を介してサーバ３０に送信する機能を有する。第２管理情報は、第１管理情報と同一であってもよいし、第１管理情報の一部であってもよいし、第１管理情報の全部又は一部に他の情報を加えたものであってもよい。また、第１管理情報と第２管理情報との間で、フォーマット（データ形式、データ構成、圧縮或いは暗号化の有無等）は同一であっても変更してもよい。ここでは、第２管理情報が、実質的に第１管理情報の全部を含むものとして説明する。管理情報送信部４４０は、第１管理情報を含む第２管理情報に、位置測定部４１０により取得された位置情報を付して、サーバ３０に送信する。なお、管理情報送信部４４０は、この送信に対するサーバ３０からの応答としてのメッセージを受信する機能も有する。
【００３０】
提示部４５０は、サーバ３０から受信したメッセージを、ユーザに提示する機能を有する。このメッセージの提示は、例えばディスプレイ４０５にメッセージの内容を表示すること、或いは情報端末４００がスピーカ等を備える場合においてメッセージの内容を音声で出力すること等により実現される。
【００３１】
（動作）
以下、上述の構成を備える電力管理システム１０と連携する情報端末４００における情報処理方法の一例（動作例）について説明する。
【００３２】
図４は、情報端末４００における蓄電池情報表示処理の一例を示すフローチャートである。以下、同図に即して蓄電池情報表示処理を説明する。例えば、ユーザが、情報端末４００に対して所定情報処理を行うためのアプリを起動する所定操作を行った際に、蓄電池情報表示処理が実行される。ユーザは、例えば電力管理システム１０の稼働状況（蓄電池の状態等）を手元で確認したい場合に、このアプリを起動する操作を行う。
【００３３】
情報端末４００は、所定情報処理を行うためのアプリの起動に係る所定操作を入力装置４０４で受け付けた際等に、電力管理システム１０から管理情報を受信すべく、要求情報を第２通信部４０２で送信して操作端末３００と相互認証を行う（ステップＳ１１）。要求情報は、管理情報の要求として働く情報であればいかなる内容であってもよい。要求情報は、例えば、Ｂｌｕｅｔｏｏｔｈ（登録商標）でのペアリングの要求、或いは、ＰＩＮ（Personal Identification Number）コード等のペアリング（相互認証）用の情報であってもよい。相互認証に成功しなければ蓄電池情報表示処理は終了する。
【００３４】
ステップＳ１１での相互認証に成功した場合には（ステップＳ１２）、情報端末４００と操作端末３００とが無線接続状態となり、情報端末４００は管理情報受信部４２０により、第２通信部４０２を用いて管理情報（第１管理情報）を受信する（ステップＳ１３）。なお、操作端末３００では、パワーコンディショナー２００から管理情報を随時受信して保持しておき、保持している管理情報を情報端末４００に送信してもよい。また、操作端末３００は、情報端末４００から要求情報を受信した後にパワーコンディショナー２００から管理情報を受信して情報端末４００に送信してもよい。
【００３５】
情報端末４００は、管理情報受信部４２０により第１管理情報が受信された際に、表示部４３０により、第１管理情報に基づいて蓄電池の情報等を表す表示要素を生成してディスプレイ４０５に表示する（ステップＳ１４）。ステップＳ１４で表示要素を表示した情報端末４００におけるディスプレイ４０５の画面の一例を図５に示す。図５に示す画面５１０は、蓄電池の状態が、正常に充電中であり、充電量は７０％である旨を表しており、ＧＵＩ（Graphical User Interface）部品としてのボタン５０１〜５０４を含む。例えば、ボタン５０１は、第１管理情報における使用履歴等に基づいて蓄電池の充電量の推移をグラフ表示する画面へ遷移するためのユーザ操作用のボタンである。ボタン５０２は、サーバ３０へ電力管理システム１０の管理情報（つまり第１管理情報に基づいて生成される第２管理情報）を送信して終了することを指示するためのユーザ操作用のボタンである。ボタン５０３は、蓄電池情報表示処理を終了するためのユーザ操作用のボタンである。ボタン５０４は、その他の処理を指示するためのユーザ操作用のボタンである。このような各種ボタンに対するユーザ操作に応じて情報端末４００は、予め定められた処理を行う。
【００３６】
情報端末４００は、ユーザによる操作を受け付けた場合には（ステップＳ１５）、その操作が、サーバ３０へ管理情報を送信して終了することを指示するボタン５０２の押下操作であれば（ステップＳ１６）、ステップＳ１７へ処理を移行し、終了を指示するボタン５０３の押下操作であれば（ステップＳ２２）、蓄電池情報表示処理を終了し、その他のボタンの押下操作であれば、操作に応じた処理を実行する（ステップＳ２３）。ステップＳ２３では、例えば、ボタン５０１が押下操作された場合には、表示部４３０は、第１管理情報に基づいて充電量の推移のグラフの表示に必要な演算を行って、グラフを表示する。情報端末４００は、終了に係る操作がなされるまで、操作の受け付けと操作に対応する処理の実行とを繰り返す（ステップＳ１５、Ｓ１６、Ｓ２２、Ｓ２３）。
【００３７】
ステップＳ１７では、情報端末４００は、位置測定部４１０により、管理情報受信部４２０で第１管理情報が受信された際における情報端末４００の位置を測定することで、位置情報を取得する。即ち、情報端末４００は、位置測定部４１０により位置を測定してその位置を示す位置情報を生成し、或いは直前に測定されて保持されている位置情報を、第１管理情報が受信された際における情報端末４００の位置を示すものと看做して、取得する。
【００３８】
次に、情報端末４００は、管理情報送信部４４０により、第１管理情報に基づいて第２管理情報を生成する（ステップＳ１８）。続いて、情報端末４００の管理情報送信部４４０は、ステップＳ１７で生成或いは取得した位置情報を付して、第２管理情報を、第１通信部４０１を用いてサーバ３０へと送信する（ステップＳ１９）。
【００３９】
続いて管理情報送信部４４０は、サーバ３０から応答としてのメッセージを受信し（ステップＳ２０）、提示部４５０がそのメッセージを提示する（ステップＳ２１）。
【００４０】
図６に、上述した蓄電池情報表示処理の１つの実行例としての、電力管理システム１０（操作端末３００）と情報端末４００とサーバ３０との間での処理シーケンスを示す。
【００４１】
ユーザが蓄電池の状態等を確認すべく情報端末４００で所定操作を行って所定情報処理のためのアプリを起動した場合に、図６の例のように、情報端末４００が、要求情報を操作端末３００に送信し（ステップＳ１０１）、相互認証がなされる（ステップＳ１０２）。そして、電力管理システム１０の操作端末３００は、近距離無線通信により第１管理情報を情報端末４００に送信する（ステップＳ１０３）。情報端末４００では、第１管理情報に基づいて図５に示す画面５１０を表示する（ステップＳ１０４）。そして、ユーザによるボタン５０２の押下操作を受けて、情報端末４００は、位置情報を付して第１管理情報を含む第２管理情報を、無線基地局３２を介してサーバ３０へ送信する（ステップＳ１０５）。サーバ３０では第２管理情報を受信して、例えばその第２管理情報の内容に応じてメッセージを選択して、そのメッセージを情報端末４００へと送信する（ステップＳ１０６）。サーバ３０では、例えば、受信した第２管理情報に含まれる蓄電池の状態を示す状態コードについて、その詳細内容を示すメッセージを情報端末４００へ送信する。続いて情報端末４００は、メッセージを受信するとそのメッセージを提示する（ステップＳ１０７）。メッセージは、例えばサーバ３０において予め定められた文字列、音声データ等である。
【００４２】
このように、情報端末４００が、電力管理システム１０における管理情報（第１管理情報）に対応する情報（第２管理情報）を、無線基地局３２を介してサーバ３０に送信する。このため、施設２０に固定回線が敷設されていなくても、サーバ３０は管理情報に対応する情報を取得できる。サーバ３０では管理情報を蓄積して処理し得る。このため、サーバ３０を運用しサーバ３０が取得した情報を閲覧し得る者（メンテナンス事業者等と称する）は、電力管理システム１０の状況を把握して、異常が発生した場合等に適切な対処を行い得る。メンテナンス事業者等は、電力管理システムの保守サービスを実行するメンテナンス事業者の他、電力事業者、蓄電装置等の製造メーカ、その他の事業者等である。また、情報端末４００から位置情報がサーバ３０に送信されるため、メンテナンス事業者等は、需要家毎（施設毎）の各電力管理システム１０を識別して管理することが可能となる。これにより、メンテナンス事業者等は、例えば、電力管理システム１０の蓄電池等に異常が発生した場合に迅速に施設２０に駆けつけることが可能になる。
【００４３】
（実施の形態２）
以下、本発明の一実施形態に係る情報端末４００ａについて説明する。情報端末４００ａは、実施の形態１で示した情報端末４００を部分的に変形したものである。情報端末４００では、ユーザが、サーバ３０へ電力管理システム１０の管理情報を送信する指示に係る操作（ボタン５０２の押下操作）を行う毎にサーバ３０への第２管理情報の送信を実行した。これに対して、情報端末４００ａは、定期的に第２管理情報のサーバ３０への送信を実行する機能を有する。
【００４４】
（構成）
情報端末４００ａは、情報端末４００と同じハードウェア構成を備えており、実施の形態１で示した電力管理システム１０と連携し、サーバ３０にアクセスする点においては情報端末４００と同様である（図１参照）。情報端末４００ａは、情報端末４００と相違して、蓄電池情報表示処理に加えて定期送信処理を含む所定情報処理を行うためのアプリを実行する。
【００４５】
図７は、情報端末４００ａの機能ブロック図である。情報端末４００ａは、制御部４０３のプロセッサによりこのアプリを実行することで、図７に示す機能構成要素である位置測定部４１０、管理情報受信部４２０、表示部４３０、管理情報送信部４４０ａ、提示部４５０及び判別部４６０の各機能を発揮する。情報端末４００ａの機能構成要素のうち、情報端末４００（図３参照）と同様の機能構成要素については、図７で同じ符号を付しており、ここでは説明を省略する。また、情報端末４００ａは、ここで説明しない点については、情報端末４００と同様である。
【００４６】
判別部４６０は、管理情報受信部４２０により受信された第１管理情報が電力管理システム１０での異常発生を示すか否かを判別して判別の結果を管理情報送信部４４０ａに伝達する機能を有する。判別部４６０は、例えば、図２に示す管理情報（第１管理情報）の例に示す蓄電池情報の状態コード、発電装置情報の状態コード等が予め規定された異常を示すコード値であるか否かにより、異常発生を示すか否かを判別する。
【００４７】
管理情報送信部４４０ａは、実施の形態１で示した管理情報送信部４４０を部分的に変形したものである。管理情報送信部４４０ａは、管理情報送信部４４０と同様に、管理情報受信部４２０により受信された第１管理情報に基づいて形成した第２管理情報を、第１通信部４０１により、無線基地局３２を介してサーバ３０に送信する機能を有する。しかし、その送信タイミングが管理情報送信部４４０とは相違する。管理情報送信部４４０ａは、管理情報受信部４２０により受信された１つ又は複数の第１管理情報を一定期間分（例えば１週間分、１ヵ月分等）まとめることで第２管理情報を生成してその一定期間毎（例えば１週間毎、１ヵ月毎）に定期的に送信する。つまり一定期間の終期毎に第２管理情報の送信が行われる。この第２管理情報は、一定期間分の全ての第１管理情報と同一であってもよいし、その全ての第１管理情報の一部であってもよいし、その全ての第１管理情報の全部又は一部に他の情報を加えたものであってもよい。また、一定期間分の全ての第１管理情報と第２管理情報との間で、フォーマット（データ形式、データ構成、圧縮或いは暗号化の有無等）は同一であっても変更してもよい。例えば、第２管理情報は、一定期間分の全ての第１管理情報を集約（圧縮）してその全ての第１管理情報と同内容の情報を小さいデータ量で表現した形式とすることがサーバ３０との通信量の抑制の面で有用である。管理情報送信部４４０ａは、第２管理情報を定期的に送信する処理（定期送信処理）を実行する他に、例外的に次の処理を行う。即ち、管理情報送信部４４０ａは、判別部４６０から、第１管理情報が異常発生を示す旨の判別結果が伝達された際には、一定期間の終期を待たずに、一定期間中に既に受信されていた第１管理情報をまとめて第２管理情報を生成してサーバ３０に送信する。これにより、電力管理システム１０の異常発生に関する情報はサーバ３０に迅速に送信される。その後にその一定期間の終期が到来した際には、管理情報送信部４４０ａは、その一定期間内で異常発生後に管理情報受信部４２０により受信された第１管理情報を、まとめて第２管理情報を生成してサーバ３０に送信する。なお、一定期間内に管理情報受信部４２０により第１管理情報が受信されていない場合には、管理情報送信部４４０ａは、第２管理情報を送信しない。また、管理情報送信部４４０ａは、サーバ３０に第２管理情報を送信する際には、実施の形態１で示した管理情報送信部４４０と同様に、第２管理情報に、位置測定部４１０により取得された位置情報を付して、サーバ３０に送信する。また、管理情報送信部４４０ａは、第２管理情報の送信に対するサーバ３０からの応答としてのメッセージを受信する機能も有する。
【００４８】
（動作）
以下、電力管理システム１０と連携する上述の情報端末４００ａにおける情報処理方法の一例（動作例）について説明する。蓄電池情報表示処理及び定期送信処理を含む所定情報処理を行うためのアプリにおいて、例えば、蓄電池情報表示処理はユーザが情報端末４００ａに所定操作を行った場合に実行され、定期送信処理は操作に依存せずに繰り返し実行される。
【００４９】
図８は、情報端末４００ａにおける蓄電池情報表示処理の一例を示すフローチャートである。以下、同図に即して蓄電池情報表示処理を説明する。なお、実施の形態１で示した蓄電池情報表示処理（図４）のステップと同じものについては、図８で同じ符号を付しており、ここでは説明を適宜簡略化する。
【００５０】
情報端末４００ａは、蓄電池情報表示処理を実行するための所定操作を入力装置４０４で受け付けた際に、電力管理システム１０から管理情報を受信するために、要求情報を第２通信部４０２で送信して操作端末３００との間で相互認証を行う（ステップＳ１１）。相互認証に成功しなければ蓄電池情報表示処理は終了する。
【００５１】
ステップＳ１１での相互認証に成功した場合には（ステップＳ１２）、情報端末４００ａは管理情報受信部４２０により、第２通信部４０２を用いて管理情報（第１管理情報）を受信する（ステップＳ１３）。受信した第１管理情報は、少なくともサーバ３０への送信の基礎（つまり送信する第２管理情報の生成の基礎）として用いられるまでは情報端末４００のメモリ等の記憶媒体中に保持される。情報端末４００ａは、管理情報受信部４２０により第１管理情報が受信された際に、表示部４３０により、第１管理情報に基づいて蓄電池の情報等を表す表示要素を生成してディスプレイ４０５に表示する（ステップＳ１４）。
【００５２】
また、情報端末４００ａの判別部４６０は、第１管理情報が異常発生を示すか否か、つまり蓄電池情報の状態コード、発電装置情報の状態コード等が予め規定された異常を示すコード値であるか否かを判別する（ステップＳ３１）。
【００５３】
ステップＳ３１で判別部４６０が、第１管理情報が異常発生を示すと判別した場合には、情報端末４００ａは位置測定部４１０により位置を測定してその位置を示す位置情報を生成し、或いは直前に測定されて保持されている位置情報を取得する（ステップＳ１７）。
【００５４】
次に、情報端末４００ａは、管理情報送信部４４０ａにより、ステップＳ１３で受信されて未だ第２管理情報の生成の基礎として用いられていない全ての第１管理情報（異常発生を示す第１管理情報を含む）に基づいて第２管理情報を生成する（ステップＳ３２）。
【００５５】
続いて、情報端末４００ａの管理情報送信部４４０ａは、ステップＳ１７で生成或いは取得した位置情報を付して、第２管理情報を、第１通信部４０１を用いてサーバ３０へと送信する（ステップＳ１９）。
【００５６】
続いて管理情報送信部４４０ａは、サーバ３０から応答としてのメッセージを受信し（ステップＳ２０）、提示部４５０がそのメッセージを提示する（ステップＳ２１）。提示部４５０がメッセージをディスプレイ４０５に表示することで提示を行った際の情報端末４００ａにおけるディスプレイ４０５の画面の一例を図９に示す。図９に示す画面５１０ａはステップＳ１４で生成された表示要素を含み、状態コードが示す異常発生の詳細な内容或いは異常への対処方法等を示すメッセージ５０５と、実施の形態１（図５参照）と同様のＧＵＩ部品としてのボタン５０１、５０３、５０４とを含む。
【００５７】
ステップＳ３１で判別部４６０が、第１管理情報が異常発生を示さないと判別した場合には、上述のステップＳ１７、ステップＳ３２及びステップＳ１９〜Ｓ２１はスキップされる。
【００５８】
情報端末４００ａは、ユーザによる操作を受け付けた場合には（ステップＳ１５）、その操作が、終了を指示するボタン５０３の押下操作であれば（ステップＳ２２）、蓄電池情報表示処理を終了する。その操作が、その他のボタンの押下操作であれば、操作に応じた処理を実行する（ステップＳ２３）。情報端末４００ａは、終了に係る操作がなされるまで、操作の受け付けと操作に対応する処理の実行とを繰り返す（ステップＳ１５、Ｓ２２、Ｓ２３）。
【００５９】
図１０は、情報端末４００ａにおける定期送信処理の一例を示すフローチャートである。以下、同図に即して定期送信処理を説明する。この定期送信処理は、一定期間毎（例えば１週間毎、１ヵ月毎等）に定期的にサーバ３０に第２管理情報を送信するために、例えばその一定期間より短い周期（例えば２４時間毎等）で繰り返し実行される。
【００６０】
情報端末４００ａは、サーバ３０への送信の時期的条件を満たす時が到来したか否かを判定する（ステップＳ４１）。この時期的条件は、予め情報端末４００ａに設定されており、例えば上述の一定期間の終期を示す。情報端末４００ａは、例えば一定期間が１ヵ月毎であれば、暦（カレンダー）に基づいて各月末日が到来したか否かを判断し、到来しなければ定期送信処理を終了する。
【００６１】
ステップＳ４１で、送信の時期的条件を満たす時が到来したと判定した場合には、情報端末４００ａは、未だサーバ３０への送信の基礎としたことのない第１管理情報をメモリ等の記憶媒体中に保持しているかを判定する（ステップＳ４２）。保持していなければ、定期送信処理を終了する。
【００６２】
ステップＳ４２で、未だ送信の基礎としたことのない第１管理情報を保持していると判定した場合には、情報端末４００ａは位置測定部４１０により位置を測定して位置情報を生成し、或いは直前に測定されて保持されている位置情報を取得する（ステップＳ１７）。
【００６３】
次に、情報端末４００ａは、管理情報送信部４４０ａにより、未だ送信の基礎としたことのない（つまり未だ第２管理情報の生成の基礎として用いていない）全ての第１管理情報に基づいて第２管理情報を生成する（ステップＳ３２）。この第２管理情報の生成は、蓄電池情報表示処理（図８参照）における第２管理情報の生成と同様である。
【００６４】
続いて、情報端末４００ａの管理情報送信部４４０ａは、ステップＳ１７で生成或いは取得した位置情報を付して、第２管理情報を、第１通信部４０１を用いてサーバ３０へと送信する（ステップＳ１９）。
【００６５】
続いて管理情報送信部４４０ａは、サーバ３０から応答としてのメッセージを受信し（ステップＳ２０）、提示部４５０がそのメッセージを提示する（ステップＳ２１）。定期送信処理において、ステップＳ２１を省略することとしてもよい。
【００６６】
図１１に、上述した蓄電池情報表示処理及び定期送信処理の１つの実行例としての、電力管理システム１０（操作端末３００）と情報端末４００ａとサーバ３０との間での処理シーケンスを示す。なお、実施の形態１で示した処理シーケンス（図６参照）におけるステップと同じものについては、図１１で同じ符号を付している。
【００６７】
ユーザが蓄電池の状態等を確認すべく、情報端末４００ａで蓄電池情報表示処理を実行させる所定操作を行った場合に、図１１の例のように情報端末４００ａが要求情報を操作端末３００に送信し（ステップＳ１０１）、相互認証がなされる（ステップＳ１０２）。そして、電力管理システム１０の操作端末３００は、近距離無線通信により第１管理情報を情報端末４００ａに送信する（ステップＳ１０３）。情報端末４００ａでは、第１管理情報に基づいて蓄電池の状態等を示す画面を表示する（ステップＳ１０４）。そして、また別の日時においてユーザが同様のことを行えば、情報端末４００ａが要求情報を送信し（ステップＳ１０１ａ）、相互認証がなされる（ステップＳ１０２ａ）。そして、操作端末３００から情報端末４００ａへと第１管理情報が送信され（ステップＳ１０３ａ）、情報端末４００ａで第１管理情報に基づく画面の表示がなされる（ステップＳ１０４ａ）。更にまた別の日時においても同様のことが繰り返され得る。
【００６８】
その後、情報端末４００ａは、定期的な送信の時期（一定期間の終期）が到来したと判定した場合に（ステップＳ２０１）、位置情報を付して保持している１つ以上の第１管理情報を集約してなる第２管理情報を、無線基地局３２を介してサーバ３０へ送信する（ステップＳ２０２）。サーバ３０では第２管理情報を受信して、例えばその第２管理情報の内容に応じてメッセージを選択して、そのメッセージを情報端末４００ａへと送信する（ステップＳ２０３）。サーバ３０では、例えば、受信した第２管理情報に含まれる蓄電池の状態を示す状態コードについて、その詳細内容を示すメッセージを情報端末４００へ送信する。また、サーバ３０では、例えば、受信した第２管理情報に含まれる蓄電池の状態を示す状態コードが異常状態を示す場合に、その異常への対処の方法を示すメッセージを情報端末４００ａへ送信する。続いて情報端末４００ａは、メッセージを受信するとそのメッセージを提示する（ステップＳ２０４）。メッセージは、サーバ３０において予め定められた文字列、音声データ等であってもよいし、サーバ３０のオペレータ（サーバ３０を運用するメンテナンス事業者等）により入力された文字列、音声データ等であってもよい。また、メッセージは、ウェブサイトにおける特定のウェブページ（異常への対処方法等を表したページ等）のアドレスを示す情報を含んでもよい。
【００６９】
このように、情報端末４００ａが、電力管理システム１０の１つ又は複数の時における管理情報（第１管理情報）に基づいた情報（第２管理情報）を、無線基地局３２を介してサーバ３０に送信する。このため、施設２０に固定回線が敷設されていなくても、サーバ３０は管理情報に対応する情報を取得できる。サーバ３０は定期的に第２管理情報を受信できる他、電力管理システム１０で異常が発生している場合には迅速に第２管理情報を受信できる。このため、サーバ３０を運用しサーバ３０が取得した情報を閲覧し得るメンテナンス事業者等は、電力管理システム１０の状況を把握して、異常が発生した場合に適切な対処（例えば施設２０へ駆けつける等）を行い得る。
【００７０】
（実施の形態３）
以下、本発明の一実施形態に係る情報端末４００ｂについて説明する。情報端末４００ｂは、実施の形態２で示した情報端末４００ａを部分的に変形し、サーバ３０から受信した制御情報を電力管理システム１０へと転送する機能を、追加したものである。
【００７１】
（構成）
情報端末４００ｂは、実施の形態１、２で示した情報端末４００、４００ａと同じハードウェア構成を備えており、実施の形態１で示した電力管理システム１０と連携し、サーバ３０にアクセスする点においては情報端末４００、４００ａと同様である（図１参照）。情報端末４００ｂは、蓄電池情報表示処理及び定期送信制御処理を含む所定情報処理を行うためのアプリを実行する。蓄電池情報表示処理は、情報端末４００ａが行うものと同様であり、定期送信制御処理は、情報端末４００ａが行う定期送信処理を一部変形したものである。情報端末４００ｂの行う定期送信制御処理では、サーバ３０からの制御情報の受信に関わる処理が含まれる。
【００７２】
図１２は、情報端末４００ｂの機能ブロック図である。情報端末４００ｂは、制御部４０３のプロセッサにより上述のアプリを実行することで、図１２に示す機能構成要素である位置測定部４１０、管理情報受信部４２０、表示部４３０、管理情報送信部４４０ａ、提示部４５０、判別部４６０、制御情報受信部４７０及び制御情報送信部４８０の各機能を発揮する。情報端末４００ｂの機能構成要素のうち、情報端末４００（図３参照）或いは情報端末４００ａ（図７参照）と同様の機能構成要素については、図１２で同じ符号を付しており、ここでは説明を省略する。また、情報端末４００ｂは、ここで説明しない点については、情報端末４００ａと同様である。
【００７３】
制御情報受信部４７０は、管理情報送信部４４０ａが第２管理情報をサーバ３０に送信した際に、サーバ３０から応答としてのメッセージと一緒に送信される制御情報を第１通信部４０１により受信する機能を有する。この制御情報は、電力管理システム１０の制御に用いられる情報であり、出力抑制指令を含む。また、この出力抑制指令は、パワーコンディショナー２００が、発電装置７０で生成された電力の電力系統への出力を、遮断すべき時期についての指定を含む。図１３に、制御情報の一例を示す。制御情報は、例えば、蓄電池１０９の充放電に係る制御を指定する内容等を含んでもよく、電力管理システム１０（パワーコンディショナー２００等）は、制御情報に従って蓄電装置１００の蓄電池１０９への充放電に係る制御或いはその他の制御を行い得る。
【００７４】
制御情報送信部４８０は、制御情報受信部４７０により制御情報が受信された後に、その制御情報を、第２通信部４０２により、電力管理システム１０に送信する機能を有する。制御情報送信部４８０は、例えば制御情報受信部４７０により制御情報が受信された際に、その制御情報を操作端末３００へ送信する。この代わりに制御情報送信部４８０は、蓄電池情報表示処理で操作端末３００から情報端末４００ｂが第１管理情報を受信する際（図８のステップＳ１３等）に、既に制御情報受信部４７０で受信されていた制御情報を操作端末３００へ送信することとしてもよい。
【００７５】
（動作）
以下、電力管理システム１０と連携する上述の情報端末４００ｂにおける情報処理方法の一例（動作例）について説明する。蓄電池情報表示処理及び定期送信処理を含む所定情報処理を行うためのアプリにおいて、例えば、蓄電池情報表示処理はユーザが情報端末４００ｂに所定操作を行った場合に実行され、定期送信処理は操作に依存せずに繰り返し実行される。蓄電池情報表示処理は、情報端末４００ａと同様である（図８参照）。
【００７６】
図１４は、情報端末４００ｂにおける定期送信制御処理の一例を示すフローチャートである。以下、同図に即して定期送信制御処理を説明する。なお、実施の形態２で示した定期送信処理（図１０）のステップと同じものについては、図１４で同じ符号を付しており、ここでは説明を適宜簡略化する。この定期送信制御処理は、一定期間毎（例えば１週間毎、１ヵ月毎等）に定期的にサーバ３０に第２管理情報を送信するために、例えばその一定期間より短い周期（例えば２４時間毎等）で繰り返し実行される。
【００７７】
情報端末４００ｂは、サーバ３０への送信の時期的条件を満たす時が到来したか否かを判定する（ステップＳ４１）。送信の時期的条件を満たす時が到来した場合には、情報端末４００ｂは、未だサーバ３０への送信の基礎としたことのない第１管理情報をメモリ等の記憶媒体中に保持しているかを判定する（ステップＳ４２）。
【００７８】
ステップＳ４２で、未だ送信の基礎としたことのない第１管理情報を保持していると判定した場合には、情報端末４００ｂは、位置測定部４１０により位置を測定してその位置を示す位置情報を生成し、或いは直前に測定されて保持されている位置情報を取得する（ステップＳ１７）。次に、情報端末４００ｂは、管理情報送信部４４０ａにより、未だ送信の基礎としたことのない（つまり未だ第２管理情報の生成の基礎として用いていない）全ての第１管理情報に基づいて第２管理情報を生成する（ステップＳ３２）。続いて、情報端末４００ｂの管理情報送信部４４０ａは、ステップＳ１７で生成或いは取得した位置情報を付して、第２管理情報を、第１通信部４０１を用いてサーバ３０へと送信する（ステップＳ１９）。そして管理情報送信部４４０ａが、サーバ３０からの応答としてのメッセージを第１通信部４０１で受信し、制御情報受信部４７０が制御情報を第１通信部４０１で受信し（ステップＳ５１）、提示部４５０がそのメッセージを提示する（ステップＳ２１）。
【００７９】
また、ステップＳ４２で、未だ送信の基礎としたことのない第１管理情報を保持していないと判定した場合には、情報端末４００ｂは、位置測定部４１０により位置を測定してその位置を示す位置情報を生成し、或いは直前に測定されて保持されている位置情報を取得する（ステップＳ１７）。次に、情報端末４００ｂは、管理情報送信部４４０ａにより、位置情報を、第１通信部４０１を用いてサーバ３０へと送信する（ステップＳ５５）。続いて、制御情報受信部４７０は、サーバ３０から位置情報の送信に呼応して送信される制御情報を第１通信部４０１で受信する（ステップＳ５６）。
【００８０】
ステップＳ２１及びステップＳ５６での処理に続いて、情報端末４００ｂは、第２通信部４０２を用いて操作端末３００と相互認証を行う（ステップＳ５２）。情報端末４００ｂは、相互認証に失敗すると定期送信制御処理を終了する。なお、情報端末４００ｂは、相互認証に失敗した場合に複数回相互認証を試みることとしてもよい。
【００８１】
ステップＳ５２での相互認証に成功すると（ステップＳ５３）、情報端末４００ｂの制御情報送信部４８０は、第２通信部４０２を用いて操作端末３００に制御情報を送信（転送）する（ステップＳ５４）。操作端末３００では、制御情報を受信するとパワーコンディショナー２００に転送して、パワーコンディショナー２００では制御情報に含まれる出力抑制指令に基づいて制御処理を行う。この制御処理について図１５のフローチャートに即して説明する。
【００８２】
パワーコンディショナー２００では、出力抑制指令で指定された時期（期間）の開始時が到来していれば（ステップＳ６１）、発電装置７０で生成された電力の電力系統への出力を遮断するように制御する（ステップＳ６２）。また、出力抑制指令で指定された時期の終了時が到来していれば（ステップＳ６３）、パワーコンディショナー２００は、発電装置７０で生成された電力の電力系統への出力を遮断しないように制御する（ステップＳ６４）。
【００８３】
図１６に、上述した蓄電池情報表示処理及び定期送信制御処理の１つの実行例としての、電力管理システム１０（操作端末３００）と情報端末４００ｂとサーバ３０との間での処理シーケンスを示す。なお、実施の形態１、２で示した処理シーケンス（図６、図１１参照）におけるステップと同じものについては、図１１で同じ符号を付している。
【００８４】
この例では、サーバ３０は、情報端末４００ｂから位置情報を伴ってアクセスされた場合に、その位置情報に基づいて必要に応じて出力抑制指令を送信する機能を実行するものとする。出力抑制指令の内容（時期の指定内容等）については、例えばサーバ３０を運用する、電力事業者その他のメンテナンス事業者等が、サーバ３０に必要に応じて入力し得る。
【００８５】
ユーザが蓄電池の状態等を確認すべく、情報端末４００ｂで蓄電池情報表示処理を実行させる所定操作を行った場合に、図１６の例のように情報端末４００ｂが要求情報を操作端末３００に送信し（ステップＳ１０１）、相互認証がなされる（ステップＳ１０２）。そして、電力管理システム１０の操作端末３００は、近距離無線通信により第１管理情報を情報端末４００ｂに送信する（ステップＳ１０３）。情報端末４００ｂでは、第１管理情報に基づいて蓄電池の状態等を示す画面を表示する（ステップＳ１０４）。また別の日時においてもステップＳ１０１〜Ｓ１０４は繰り返され得る。
【００８６】
その後、情報端末４００ｂは、定期的な送信の時期が到来したと判定した場合に（ステップＳ２０１）、位置情報を付して保持している１つ以上の第１管理情報を集約して成る第２管理情報を、無線基地局３２を介してサーバ３０へ送信する（ステップＳ２０２）。サーバ３０では第２管理情報を受信して、例えばその第２管理情報の内容に応じて選択したメッセージと、位置情報に対応した出力抑制指令を含む制御情報とを情報端末４００ｂへと送信する（ステップＳ３０１）。これにより、情報端末４００ｂでは、第１通信部４０１により、メッセージ及び制御情報が受信される。
【００８７】
続いて情報端末４００ｂは、受信したメッセージを提示する（ステップＳ２０４）。また、情報端末４００ｂは、操作端末３００と相互認証を行って（ステップＳ３０２）、受信した、出力抑制指令を含む制御情報を、第２通信部４０２を用いて操作端末３００に送信（転送）する（ステップＳ３０３）。操作端末３００では、制御情報を受信するとパワーコンディショナー２００に伝達し、パワーコンディショナー２００は、制御情報に応じた制御を行う。この制御の１つとして、パワーコンディショナー２００は、出力抑制指令に従って制御処理（図１５参照）を実行する（ステップＳ３０４）。
【００８８】
このように、情報端末４００ｂが、電力管理システム１０の１つ又は複数の時における管理情報（第１管理情報）に基づいた情報（第２管理情報）を、無線基地局３２を介してサーバ３０に送信する。このため、施設２０に固定回線が敷設されていなくても、サーバ３０は管理情報に対応する情報を取得できる。即ち、サーバ３０による電力管理システム１０の遠隔監視が可能となる。また、施設２０に固定回線が敷設されていなくても、サーバ３０は、電力管理システム１０が発電装置７０で発電した電力を電力系統に出力することを抑制させるための出力抑制指令を、情報端末４００ｂを媒介として、電力管理システム１０へと伝達し得る。従って、電力管理システムの適切な運用が可能となる。
【００８９】
（他の実施の形態等）
以上、実施の形態１〜３により情報端末、情報処理方法等について説明したが、上述した実施の形態は一例にすぎず、各種の変更、付加、省略等が可能であることは言うまでもない。
【００９０】
上述の実施の形態では、情報端末４００、４００ａ、４００ｂが電力管理システム１０の操作端末３００と近距離無線通信規格に基づいて通信する例を示した。しかし、情報端末４００、４００ａ、４００ｂは、電力管理システム１０における操作端末３００以外の装置（パワーコンディショナー２００等）と通信することとしてもよい。また、情報端末４００、４００ａ、４００ｂの第２通信部４０２は電力管理システム１０（例えば操作端末３００）とケーブル（信号線）で接続して有線通信してもよく、電力管理システム１０と赤外線通信、或いは、無線ＬＡＮを用いた無線通信を行ってもよい。また、情報端末４００、４００ａ、４００ｂと電力管理システム１０（操作端末３００等）との間での相互認証は、省略してもよい。
【００９１】
また、上述した操作端末３００は、ディスプレイを有し、管理情報の表示が可能であるものとしたが、ディスプレイを有さなくてもよい。
【００９２】
また、上述した電力管理システム１０は、分電盤４０、発電装置７０及び操作端末３００を含むこととしたが、分電盤４０、発電装置７０及び操作端末３００の１つ以上を含まなくてもよい。また、パワーコンディショナー２００と蓄電装置１００とは、互いに別の筺体を有してもよいし、１つの筺体に含まれていてもよい。互いに別の筺体を有する場合においては、例えば、パワーコンディショナー２００と蓄電装置１００とを施設２０における屋外（建築物の外部）と屋内とに分けて配置してもよい。パワーコンディショナー２００と蓄電装置１００とが同じ筺体に含まれる場合においては、互いに、一部のハードウェア構成を共用してもよい。
【００９３】
また、上述した情報端末４００、４００ａ、４００ｂは、近距離無線通信或いは無線ＬＡＮにより相互に通信可能な複数筐体に機能分割した構成を有してもよい。
【００９４】
また、上述したサーバ３０は、第２管理情報を受信した際におけるメッセージの送信を省略してもよい。また、サーバ３０では、出力抑制指令の内容として将来の複数の時期を指定し得るが、出力抑制指令を発令する必要がない一定の場合において制御情報に出力抑制指令を含めなくてもよく、また、一定の場合に制御情報の送信を省略してもよい。
【００９５】
また、上述の実施の形態では、情報端末４００が、サーバ３０へ管理情報を送信することに係る指示（ボタン５０２の押下操作）を受け付けた場合に、第２管理情報をサーバ３０に送信することとしたが、指示を待たずに第２管理情報のサーバ３０への送信を行ってもよい。また、情報端末４００ａ、４００ｂは、管理情報が異常発生を示す場合には定期的な送信の時期的条件を満たすか否かに拘わらず、第２管理情報をサーバ３０に送信することとした（図８のステップＳ３１、Ｓ１７、Ｓ３２、Ｓ１９参照）が、この送信の処理を省略して、異常発生の場合も同様に定期送信処理（図１０参照）により第２管理情報をサーバ３０に送信することとしてもよい。また、情報端末４００ａ、４００ｂは、管理情報が異常発生を示す場合の他に、他の一定条件を満たす場合に、迅速に第２管理情報をサーバ３０に送信することとしてもよい。
【００９６】
また、上述の情報端末４００、４００ａ、４００ｂ、電力管理システム１０、サーバ３０における処理手順（図４、６、８、１０、１１、１４〜１６に示す手順等）の実行順序は、必ずしも、上述した通りの順序に制限されるものではなく、発明の要旨を逸脱しない範囲で、実行順序を入れ替えたりその一部を省略したりすることができる。また、その処理手順の全部又は一部は、ハードウェアにより実現されても、ソフトウェアを用いて実現されてもよい。なお、ソフトウェアによる処理は、各装置に含まれるプロセッサがメモリに記憶された制御プログラムを実行することにより実現されるものである。また、その制御プログラムを記録媒体に記録して頒布や流通させてもよい。例えば、頒布された制御プログラムを情報端末（コンピュータ）にインストールして、プロセッサに実行させることで、情報端末（コンピュータ）に、図４、８、１０、１４、１５に示した処理手順の全部又は一部を行わせることが可能となる。
【００９７】
また、上述した実施の形態、変形態様等で示した構成要素及び機能を任意に組み合わせることで実現される形態も本発明の範囲に含まれる。
【００９８】
なお、本発明の包括的又は具体的な各種態様には、装置、システム、方法、集積回路、コンピュータプログラム、コンピュータで読み取り可能な記録媒体等の１つ又は複数の組み合わせが含まれる。
【００９９】
以下、本発明の一態様に係る情報端末、情報処理方法及び制御プログラムについての構成、変形態様、効果等について示す。
【０１００】
（１）本発明の一態様に係る情報処理方法は、広域ネットワーク３１に接続される無線基地局３２と無線通信する第１通信部４０１と、第１通信部４０１とは異なる通信方式で通信する第２通信部４０２とを備える情報端末４００、４００ａ、４００ｂで用いられる情報処理方法であって、第２通信部４０２により、施設２０に設置された、蓄電池１０９を含む電力管理システム１０から蓄電池１０９に関する情報を含む第１管理情報を受信する管理情報受信ステップ（例えばステップＳ１３）と、管理情報受信ステップで受信された第１管理情報に基づいて形成した第２管理情報を、第１通信部４０１により、広域ネットワーク３１に接続される施設２０の外部の一装置（例えばサーバ３０）を宛先として、送信する管理情報送信ステップ（例えばステップＳ１８、Ｓ１９等）とを含む。
【０１０１】
これにより、施設２０に設置された電力管理システム１０に関する情報が外部の一装置（サーバ３０）に伝達されるため、施設２０に固定回線がなくてもサーバ３０による遠隔監視が可能となる。従って、この情報処理方法を用いて、サーバ３０を、例えば蓄電装置等に関する十分な専門知識等を有するメンテナンス事業者等が運用すれば、電力管理システム１０の異常の発生への対処等を効率的かつ適切に行える。
【０１０２】
（２）例えば、前記管理情報受信ステップでは、第１通信部４０１よりも通信可能範囲が狭い、近距離無線通信方式で通信する第２通信部４０２により、第１管理情報の受信を行うこととしてもよい。
【０１０３】
これにより、情報端末４００、４００ａ、４００ｂと電力管理システム１０とをケーブルで接続しなくても両者を一定の近距離に近付ければ、情報端末４００等は第１管理情報の受信が可能となる。このため、ユーザは容易に、サーバ３０による電力管理システム１０の遠隔監視を実現させることができる。
【０１０４】
（３）例えば、電力管理システム１０は、操作を受け付ける機能と蓄電池１０９に関する情報を表示する機能と通信機能とを有する操作端末３００を含み、前記管理情報受信ステップでは、操作端末３００と情報端末４００、４００ａ、４００ｂとの間での相互認証に成功した場合に、操作端末３００から第１管理情報の受信を行うこととしてもよい。
【０１０５】
これにより、ユーザは、電力管理システム１０に関連する情報をサーバに伝達することを比較的容易に実現し得る。一般に、電力管理システム１０を構成する装置類のうちユーザが操作し易い位置に設置される操作端末３００と、情報端末４００等とを第１管理情報の伝達が可能となる状態におくことは、ユーザにとって比較的容易だからである。
【０１０６】
（４）例えば、情報端末４００、４００ａ、４００ｂはディスプレイ４０５を備え、前記情報処理方法は更に、前記管理情報受信ステップで受信した第１管理情報に基づいて表示要素をディスプレイ４０５に表示する表示ステップ（例えばステップＳ１４）を含む。
【０１０７】
これにより、ユーザは、既に取得されている第１管理情報に含まれる蓄電池の情報等を情報端末４００等により閲覧することができる。
【０１０８】
（５）例えば、情報端末４００、４００ａ、４００ｂは入力装置４０４を備え、前記管理情報受信ステップでは、入力装置４０４により所定操作が受け付けられた際に電力管理システム１０に、第２通信部４０２により要求情報を送信し、その要求情報を受信した電力管理システム１０から送信される第１管理情報の受信を行い、前記表示ステップでは、前記管理情報受信ステップで第１管理情報を受信した際に、その第１管理情報に基づく表示要素に係る表示を行うこととしてもよい。
【０１０９】
これにより、蓄電池等の情報の閲覧のためにユーザが、情報端末４００等をその閲覧が可能な状態に置けば、情報端末４００等が、遠隔監視のためにサーバ３０に送信する必要がある情報を取得できるようになる。
【０１１０】
（６）例えば、前記管理情報送信ステップでは、前記管理情報受信ステップで第１管理情報を受信した際に、その第１管理情報に基づいて形成した第２管理情報の送信を行うこととしてもよい。
【０１１１】
これにより、情報端末４００等が電力管理システム１０から情報を得た際にサーバ３０では遠隔監視用の情報を取得可能となるので、例えば電力管理システム１０に異常が発生した場合においてサーバ３０を運用するメンテナンス事業者等が迅速に異常に対処し得る。
【０１１２】
（７）例えば、前記情報処理方法は更に、前記管理情報送信ステップで第２管理情報を送信した際にその送信の宛先の一装置（サーバ３０）からメッセージを受信した場合においてそのメッセージを提示する提示ステップ（例えばステップＳ２０、Ｓ２１等）を含む。
【０１１３】
これにより、電力管理システム１０に異常が発生した場合等においてサーバ３０から、その異常への対処方法等を通知し得るようになる。
【０１１４】
（８）例えば、前記管理情報受信ステップでは、第１管理情報の受信を互いに異なる複数の時それぞれにおいて実行し、前記管理情報送信ステップでは、前記管理情報受信ステップで複数の時それぞれにおいて受信した第１管理情報に基づいて１つの第２管理情報を形成して、その第２管理情報を、サーバ３０を宛先として送信すること（例えばステップＳ３２等）としてもよい。
【０１１５】
これにより、情報端末４００ａ、４００ｂ等とサーバ３０との間での通信量が低減される可能性があり、このため、例えば通信コストが低減され得る。
【０１１６】
（９）例えば、前記情報処理方法は更に、前記管理情報受信ステップで第１管理情報が受信された際に、その第１管理情報が電力管理システム１０での異常発生を示すか否かを判別する判別ステップ（例えば、ステップＳ３１）を含み、前記管理情報送信ステップでは、前記判別ステップで第１管理情報が異常発生を示すと判別した際に、その第１管理情報に基づいて形成した第２管理情報の送信を行うこととしてもよい。
【０１１７】
これにより、電力管理システム１０で異常が発生した場合においてサーバ３０に迅速に第２管理情報が伝達されるため、異常への迅速な対応が可能となる。
【０１１８】
（１０）例えば、前記情報処理方法は更に、第１通信部４０１により、広域ネットワーク３１に接続された装置（サーバ３０或いは他の装置）から送信された電力管理システム１０の制御に用いられる制御情報を受信する制御情報受信ステップ（例えば、ステップＳ５１）と、前記制御情報受信ステップで受信された制御情報を、第２通信部４０２により、電力管理システム１０に送信する制御情報送信ステップ（例えば、ステップＳ５４）とを含む。
【０１１９】
これにより、施設２０に固定回線が敷設されていなくても、サーバ３０或いは他の装置（例えば出力抑制指令の送信装置）は、制御情報を、情報端末４００ｂ等を媒介として、電力管理システム１０へと伝達し得る。
【０１２０】
（１１）例えば、  前記制御情報受信ステップでは、制御情報を広域ネットワーク３１に接続された前記一装置（サーバ３０）から受信し、前記制御情報送信ステップでは、前記管理情報受信ステップで第１管理情報を受信した際に、制御情報の送信を行うこととしてもよい。
【０１２１】
これにより、情報端末４００ｂが電力管理システム１０と通信可能な状態に置かれている際に、制御情報が送信されることとなるので、通信不可能な状態で送信を試みることに比べて効率的に制御情報を伝達できる。
【０１２２】
（１２）例えば、電力管理システム１０は、発電装置７０と、発電装置７０に接続されたパワーコンディショナー２００とを含み、電力管理システム１０では、出力抑制指令を受信した場合にその出力抑制指令で指定された時期においてパワーコンディショナー２００が発電装置７０で生成された電力の電力系統への出力を遮断し、前記制御情報受信ステップで受信する制御情報は、出力抑制指令を含むこととしてもよい。
【０１２３】
これにより、施設２０に固定回線が敷設されていなくても、サーバ３０は、出力抑制指令を、情報端末４００ｂ等を媒介として、電力管理システム１０へと伝達し得る。
【０１２４】
（１３）例えば、前記情報処理方法は更に、前記管理情報受信ステップで第１管理情報が受信された際における情報端末４００、４００ａ、４００ｂの位置を測定する位置測定ステップ（例えばステップＳ１７）を含み、前記管理情報送信ステップでは、前記位置測定ステップにより測定した位置を示す位置情報を第２管理情報に付して、第２管理情報の送信を行うこととしてもよい。
【０１２５】
これにより、サーバ３０を運用するメンテナンス事業者等が、電力管理システム１０の位置を把握でき、電力管理システム１０に異常が発生した場合に迅速に駆けつける等の対処が可能となる。
【０１２６】
（１４）本発明の一態様に係る情報端末４００、４００ａ、４００ｂは、広域ネットワーク３１に接続される無線基地局３２と無線通信する第１通信部４０１と、第１通信部４０１とは異なる通信方式で通信する第２通信部４０２と、施設２０に設置された、蓄電池１０９を含む電力管理システム１０から蓄電池１０９に関する情報を含む第１管理情報を、第２通信部４０２を制御して受信させ、受信された第１管理情報に基づいて形成した第２管理情報を、第１通信部４０１を制御して、広域ネットワーク３１に接続される、施設２０の外部の一装置（サーバ３０）を宛先として送信させる制御部４０３とを備える。
【０１２７】
これにより、施設２０に設置された電力管理システム１０に関する情報をサーバ３０に伝達することが可能となる。このため、施設２０に固定回線がなくてもサーバ３０による電力管理システム１０の遠隔監視が可能となる。
【０１２８】
（１５）本発明の一態様に係る制御プログラムは、広域ネットワーク３１に接続される無線基地局３２と無線通信する第１通信部４０１と、第１通信部４０１とは異なる通信方式で通信する第２通信部４０２と、マイクロプロセッサとを備える情報端末４００、４００ａ、４００ｂに、所定情報処理を実行させるための制御プログラムであって、前記所定情報処理は、第２通信部４０２を制御することで、施設２０に設置された、蓄電池１０９を含む電力管理システム１０から蓄電池１０９に関する情報を含む第１管理情報を、受信させる管理情報受信ステップ（例えばステップＳ１３）と、第１通信部４０１を制御することで、前記管理情報受信ステップで受信された第１管理情報に基づいて形成した第２管理情報を、広域ネットワーク３１に接続される、施設２０の外部の一装置（サーバ３０）を宛先として、送信させる管理情報送信ステップ（例えばステップＳ１８、Ｓ１９等）とを含む。
【０１２９】
この制御プログラムを情報端末４００等にインストールして、マイクロプロセッサに実行させることにより、情報端末４００等が中継して、施設２０に設置された電力管理システム１０に関する情報をサーバ３０に伝達することが可能となる。このため、施設２０に固定回線がなくてもサーバ３０による電力管理システム１０の遠隔監視が可能となる。
【符号の説明】
【０１３０】
１０  電力管理システム
２０  施設
３０  サーバ
３１  広域ネットワーク
３２  無線基地局
７０  発電装置
１０９  蓄電池
２００  パワーコンディショナー
３００  操作端末
４００、４００ａ、４００ｂ  情報端末
４０１  第１通信部
４０２  第２通信部
４０３  制御部
４０４  入力装置
４０５  ディスプレイ
【図１】
0006497664.tif 000002
【図２】
0006497664.tif 000003
【図３】
0006497664.tif 000004
【図４】
0006497664.tif 000005
【図５】
0006497664.tif 000006
【図６】
0006497664.tif 000007
【図７】
0006497664.tif 000008
【図８】
0006497664.tif 000009
【図９】
0006497664.tif 000010
【図１０】
0006497664.tif 000011
【図１１】
0006497664.tif 000012
【図１２】
0006497664.tif 000013
【図１３】
0006497664.tif 000014
【図１４】
0006497664.tif 000015
【図１５】
0006497664.tif 000016
【図１６】
0006497664.tif 000017